(57)【要約】      （修正有）【課題】製造コストを抑制しつつ繰り返し使用してもマスクの紐に確実に固定させることができる保護具を提供する。【解決手段】マスクの紐Ｈに取り付けられ、マスクを装着した装着者の耳と紐Ｈとの間に介在し得る可撓性の一体部材から成る保護具１であって、所定位置に形成されたスリット部２と、スリット部２に対応した部位に突出形成され、スリット部２に挿通可能な突出部３とを具備し、マスクの紐Ｈを巻き込んだ状態でスリット部２に突出部３を挿通して係止することにより紐Ｈに取り付け可能とされた構造のものである。【選択図】図２
0003230303.tif 000002
【実用新案登録請求の範囲】
【請求項１】
マスクの紐に取り付けられ、当該マスクを装着した装着者の耳と前記紐との間に介在し得る可撓性の一体部材から成る保護具であって、
所定位置に形成されたスリット部と、
前記スリット部に対応した部位に突出形成され、前記スリット部に挿通可能な突出部と、
を具備し、前記マスクの紐を巻き込んだ状態で前記スリット部に前記突出部を挿通して係止することにより当該紐に取り付け可能な構造とされたことを特徴とする保護具。
【請求項２】
前記突出部は、先端部が前記スリット部の幅寸法より大きく形成されたことを特徴とする請求項１記載の保護具。
【請求項３】
前記スリット部は、弧状に形成されたことを特徴とする請求項１又は請求項２記載の保護具。
【請求項４】
前記突出部は、先端部が任意の形状又はキャラクタを模した形状とされたことを特徴とする請求項１〜３の何れか１つに記載の保護具。
【請求項５】
前記突出部は、一方の側縁部から突出形成されるとともに、他方の側縁部には、任意の形状又はキャラクタを模した形状が形成されたことを特徴とする請求項４記載の保護具。
【請求項６】
発泡樹脂から成ることを特徴とする請求項１〜５の何れか１つに記載の保護具。
【考案の詳細な説明】
【技術分野】
【０００１】
本考案は、マスクの紐に取り付けられ、当該マスクを装着した装着者の耳と紐との間に介在し得る可撓性の一体部材から成る保護具に関するものである。
【背景技術】
【０００２】
マスクは、花粉や黄砂などの微粉塵に対する対策或いはウイルスや細菌などの感染対策として汎用的に用いられており、通常、布や不織布から成るマスク本体と、該マスク本体の左右に連結されたゴム材等の紐とを有して構成されている。そして、紐を装着者の耳に装着することにより、マスク本体が装着者の口元（鼻及び口の周辺）を覆うようになっている。
【０００３】
しかるに、このようなマスクを長時間装着した場合、紐の張力によって装着者の耳に過度な負担が生じてしまい、紐が当たる部位（特に耳裏）に痛みや苦痛を感じてしまうことがある。そこで、従来、マスクの紐にスポンジ等から成る部材（保護具）を取り付け、紐の張力による痛みを緩和することにより、長時間の装着を容易に行わせることができる技術が提案されている。
【先行技術文献】
【特許文献】
【０００４】
【特許文献１】特開２００６−１５８９０５号公報
【考案の概要】
【考案が解決しようとする課題】
【０００５】
しかしながら、上記従来の保護具においては、面ファスナーを用いてマスクの紐に取り付け可能とされていたため、少なくとも面ファスナーの分だけ製造コストが嵩んでしまうとともに、繰り返し使用したり或いは洗濯等を行った場合、面ファスナーの接着力が低下してしまい、使用時に紐から脱落してしまう虞があった。本出願人は、このような不具合に対応することができる保護具を提供すべく、鋭意検討するに至った。
【０００６】
本考案は、このような事情に鑑みてなされたもので、製造コストを抑制しつつ繰り返し使用してもマスクの紐に確実に固定させることができる保護具を提供することにある。
【課題を解決するための手段】
【０００７】
請求項１記載の考案は、マスクの紐に取り付けられ、当該マスクを装着した装着者の耳と前記紐との間に介在し得る可撓性の一体部材から成る保護具であって、所定位置に形成されたスリット部と、前記スリット部に対応した部位に突出形成され、前記スリット部に挿通可能な突出部とを具備し、前記マスクの紐を巻き込んだ状態で前記スリット部に前記突出部を挿通して係止することにより当該紐に取り付け可能な構造とされたことを特徴とする。
【０００８】
請求項２記載の考案は、請求項１記載の保護具において、前記突出部は、先端部が前記スリット部の幅寸法より大きく形成されたことを特徴とする。
【０００９】
請求項３記載の考案は、請求項１又は請求項２記載の保護具において、前記スリット部は、弧状に形成されたことを特徴とする。
【００１０】
請求項４記載の考案は、請求項１〜３の何れか１つに記載の保護具において、前記突出部は、先端部が任意の形状又はキャラクタを模した形状とされたことを特徴とする。
【００１１】
請求項５記載の考案は、請求項４記載の保護具において、前記突出部は、一方の側縁部から突出形成されるとともに、他方の側縁部には、任意の形状又はキャラクタを模した形状が形成されたことを特徴とする。
【００１２】
請求項６記載の考案は、請求項１〜５の何れか１つに記載の保護具において、発泡樹脂から成ることを特徴とする。
【考案の効果】
【００１３】
請求項１の考案によれば、所定位置に形成されたスリット部と、スリット部に対応した部位に突出形成され、スリット部に挿通可能な突出部とを具備し、マスクの紐を巻き込んだ状態でスリット部に突出部を挿通して係止することにより当該紐に取り付け可能な構造とされたので、製造コストを抑制しつつ繰り返し使用してもマスクの紐に確実に固定させることができる。
【００１４】
請求項２の考案によれば、突出部は、先端部がスリット部の幅寸法より大きく形成されたので、マスクの紐に取り付けられた状態におけるスリット部に対する突出部の抜け止めを図ることができ、保護具を装着者の耳に確実に固定させることができる。
【００１５】
請求項３の考案によれば、スリット部は、弧状に形成されたので、突出部が弧状に倣って曲がった状態でスリット部に挿通されることとなり、マスクの紐に取り付けられた状態におけるスリット部に対する突出部の抜け止めをより確実に図ることができる。
【００１６】
請求項４の考案によれば、突出部は、先端部が任意の形状又はキャラクタを模した形状とされたので、マスクの紐に取り付けられた状態で任意の形状又はキャラクタを模した形状が突出して容易に目視されることとなり、意匠性を向上させることができる。
【００１７】
請求項５の考案によれば、突出部は、一方の側縁部から突出形成されるとともに、他方の側縁部には、任意の形状又はキャラクタを模した形状が形成されたので、一方の側縁部及び他方の側縁部の両方の任意の形状又はキャラクタを模した形状によって意匠性をより一層向上させることができる。
【００１８】
請求項６の考案によれば、発泡樹脂から成るので、軽量且つ安価な保護具とすることができる。
【図面の簡単な説明】
【００１９】
【図１】本考案の第１の実施形態に係る保護具を示す平面図及び側面図
【図２】同保護具をマスクの紐を取り付ける際に当該紐を位置決めさせた状態を示す平面図
【図３】同保護具をマスクの紐に取り付けた状態を示す平面図
【図４】同保護具をマスクの紐に取り付けた状態を示す背面図
【図５】図４におけるＶ−Ｖ線断面図
【図６】同保護具をマスクの紐に取り付けた状態とし、そのマスクを装着者に装着した状態を示す模式図
【図７】本考案の他の実施形態に係る保護具を示す平面図
【図８】本考案の更に他の実施形態に係る保護具を示す平面図
【図９】本考案の第２の実施形態に係る保護具を示す平面図
【図１０】同保護具をマスクの紐を取り付ける際に当該紐を位置決めさせた状態を示す平面図
【図１１】同保護具をマスクの紐に取り付けた状態を示す平面図
【図１２】同保護具をマスクの紐に取り付けた状態とし、そのマスクを装着者に装着した状態を示す模式図
【図１３】本考案の他の実施形態に係る保護具を示す平面図
【図１４】本考案の更に他の実施形態に係る保護具を示す平面図
【考案を実施するための形態】
【００２０】
以下、本考案の実施形態について図面を参照しながら具体的に説明する。
第１の実施形態に係る保護具は、マスクの紐に取り付けられ、当該マスクを装着した装着者の耳と紐との間に介在し得る可撓性の一体部材から成るもので、図１に示すように、所定位置に形成されたスリット部２と、保護具１の一方の側縁部（同図中右側縁部）であって、スリット部２に対応した部位に突出形成され、スリット部２に挿通可能な突出部３と、保護具１の他方の側縁部（同図中左側縁部）に形成された装飾用突出部４とを有して構成されている。
【００２１】
かかる保護具１は、レーザー加工にて所望形状に切削された発泡樹脂から成り、レーザー加工によって、複数（本実施形態においては３つ）のスリット部２と、そのスリット部２と同数（同３つ）の突出部３と、任意の数（同４つ）の装飾用突出部４とが形成されている。なお、本実施形態に係る保護具１は、発泡樹脂をレーザー加工することにより所望形状が形成されているが、他の材質（他の樹脂材やゴム材等）の部材を他の加工方法（切削具による切削加工や樹脂成形、プレス加工等）により所望形状を形成するようにしてもよい。
【００２２】
スリット部２は、保護具１の厚み方向に貫通して形成された寸法ｔ２の隙間から成るとともに、本実施形態においては、それぞれが弧状に形成されている。なお、本実施形態に係るスリット部２は、同図中縦方向に一列に並んで複数形成されているが、突出部３を挿通して係止し得るものであれば足り、例えばランダムな位置に複数形成されたもの、或いは単一の幅広の隙間から成るもの等としてもよい。
【００２３】
突出部３は、保護具１の一方の側縁部（同図中右側縁部）から突出して形成された部位から成り、先端部３ａが平面視で任意の形状（本実施形態においてはハート形状）とされている。また、本実施形態に係る突出部３は、その先端部３ａの幅寸法ｔ１がスリット部２の幅寸法ｔ２より大きく設定されており、突出部３を幅方向に圧縮させつつスリット部２に挿通させるようになっている。
【００２４】
装飾用突出部４は、保護具１の他方の側縁部（同図中左側縁部）から突出して形成された部位から成り、突出部３の先端部３ａと同様、平面視で任意の形状（本実施形態においてはハート形状）とされている。かかる装飾用突出部４は、保護具１の飾りとして機能するもので、スリット部２の数に対応させる必要がなく任意の数だけ形成することができるとともに、図８に示すように、他方の側縁部に装飾用突出部４が形成されないものであってもよい。
【００２５】
さらに、本実施形態においては、突出部３の先端部３ａ及び装飾用突出部４にハート形状等の任意の形状が形成されているが、図７に示すように、突出部３の先端部３ａ及び装飾用突出部４が任意のキャラクタを模した形状であってもよい。なお、本実施形態においては、レーザーにより、同図に示すような人の表情を模した形状を抜き加工しているが、動物の形状やアニメキャラクタ等を模した形状が形成されたものであってもよい。
【００２６】
次に、本実施形態に係る保護具１をマスクＭの紐Ｈ（図６参照）に取り付ける方法について説明する。
先ず、図２に示すように、保護具１におけるスリット部２と突出部３との間の部位にマスクＭの紐Ｈを位置決めし、その状態から突出部３をスリット部２の形成方向に曲げて変形させる。そして、マスクＭの紐Ｈを巻き込んだ状態で各スリット部２に突出部３の先端部３ａをそれぞれ挿通して係止させる。
【００２７】
しかるに、突出部３の先端部３ａがスリット部２の幅寸法より大きく形成（ｔ１＞ｔ２）され、且つ、スリット部２が弧状に形成されているので、突出部３の先端部３ａを幅方向に圧縮させつつスリット部２の弧状に倣った形状とすることにより、当該スリット部２に突出部３の先端部３ａを挿通させることができる。このように挿通した状態においては、図３〜５に示すように、突出部３の先端部３ａの形状が復元してスリット部２の寸法ｔ２より幅広な状態となるので、紐Ｈを巻き込んだ状態にて抜け止めが図られつつ係止されることとなる。
【００２８】
以上の作業を経ることにより、保護具１をマスクＭの一方の紐Ｈに取り付けることができるので、他の保護具１をマスクＭの他方の紐Ｈに対して同様な作業で取り付けることにより、マスクＭの両方の紐Ｈにそれぞれ保護具１を取り付けることができる。そして、従来のマスクと同様に紐Ｈを装着者の耳に装着する際、図６に示すように、保護具１を装着者の耳（耳裏）と紐Ｈとの間に介在させることができる。
【００２９】
本実施形態によれば、所定位置に形成されたスリット部２と、スリット部２に対応した部位に突出形成され、スリット部２に挿通可能な突出部３とを具備し、マスクＭの紐Ｈを巻き込んだ状態でスリット部２に突出部３を挿通して係止することにより当該紐Ｈに取り付け可能とされたので、面ファスナー等の別個の接着手段等を不要として紐Ｈに取り付けることができ、製造コストを抑制しつつ繰り返し使用してもマスクＭの紐Ｈに確実に固定させることができる。
【００３０】
また、本実施形態に係る突出部３は、先端部３ａがスリット部２の幅寸法ｔ２より大きく形成されたので、マスクＭの紐Ｈに取り付けられた状態におけるスリット部２に対する突出部３の抜け止めを図ることができ、保護具１を装着者の耳に確実に固定させることができる。さらに、本実施形態に係るスリット部２は、弧状に形成されたので、突出部３が弧状に倣って曲がった状態でスリット部２に挿通されることとなり、マスクＭの紐Ｈに取り付けられた状態におけるスリット部２に対する突出部３の抜け止めをより確実に図ることができる。
【００３１】
またさらに、本実施形態に係る突出部３は、先端部３ａが任意の形状又はキャラクタを模した形状とされたので、マスクＭの紐Ｈに取り付けられた状態で任意の形状又はキャラクタを模した形状が突出して容易に目視されることとなり、意匠性を向上させることができる。加えて、本実施形態に係る突出部３は、保護具１の一方の側縁部から突出形成されるとともに、他方の側縁部には、任意の形状又はキャラクタを模した形状が形成されたので、一方の側縁部及び他方の側縁部の両方の任意の形状又はキャラクタを模した形状によって意匠性をより一層向上させることができる。
【００３２】
さらに、本実施形態に係る保護具１は、発泡樹脂から成るので、軽量且つ安価な保護具とすることができる。また、保護具１を発泡樹脂の如き軟質樹脂とすることにより、装着者の耳（耳裏）に接触した際、耳裏の形状に倣って良好に当接し得るとともに、硬質樹脂等に比べて、装着感を向上させることができる。
【００３３】
次に、本考案に係る第２の実施形態について説明する。
第２の実施形態に係る保護具は、第１の実施形態と同様、マスクの紐に取り付けられ、当該マスクを装着した装着者の耳と紐との間に介在し得る可撓性の一体部材から成るもので、図１に示すように、所定位置に形成されたスリット部２と、保護具１の所定位置におけるスリット部２に対応した部位に形成され、スリット部２に挿通時に突出可能な突出部３とを有して構成されている。
【００３４】
かかる保護具１は、レーザー加工にて全体が蝶を模した形状に切削された発泡樹脂から成り、レーザー加工によって、スリット部２と、そのスリット部２に対応した突出部３とが形成されている。なお、本実施形態に係る保護具１は、発泡樹脂をレーザー加工することにより全体が蝶を模した形状とされているが、他の材質（他の樹脂材やゴム材等）の部材を他の加工方法（切削具による切削加工や樹脂成形、プレス加工等）により当該形状を形成するようにしてもよい。
【００３５】
スリット部２は、保護具１の所定位置において当該保護具１の厚み方向に貫通して形成された寸法ｔ２の隙間から成るとともに、本実施形態においては、弧状に形成されている。突出部３は、保護具１の所定位置においてスリット部２に向かって突出可能な部位から成るとともに、その先端部３ａの幅寸法ｔ１がスリット部２の幅寸法ｔ２より大きく設定されており、突出部３を幅方向に圧縮させつつスリット部２に挿通させるようになっている。
【００３６】
次に、本実施形態に係る保護具１をマスクＭの紐Ｈ（図１２参照）に取り付ける方法について説明する。
先ず、図１０に示すように、保護具１におけるスリット部２と突出部３との間の部位にマスクＭの紐Ｈを位置決めし、その状態から突出部３をスリット部２の形成方向に曲げて変形させる。そして、マスクＭの紐Ｈを巻き込んだ状態でスリット部２に突出部３の先端部３ａを挿通して係止させる。
【００３７】
しかるに、突出部３の先端部３ａがスリット部２の幅寸法より大きく形成（ｔ１＞ｔ２）され、且つ、スリット部２が弧状に形成されているので、突出部３の先端部３ａを幅方向に圧縮させつつスリット部２の弧状に倣った形状とすることにより、当該スリット部２に突出部３の先端部３ａを挿通させることができる。このように挿通した状態においては、図１１に示すように、突出部３の先端部３ａの形状が復元してスリット部２の寸法ｔ２より幅広な状態となるので、紐Ｈを巻き込んだ状態にて抜け止めが図られつつ係止されることとなる。
【００３８】
以上の作業を経ることにより、保護具１をマスクＭの一方の紐Ｈに取り付けることができるので、他の保護具１をマスクＭの他方の紐Ｈに対して同様な作業で取り付けることにより、マスクＭの両方の紐Ｈにそれぞれ保護具１を取り付けることができる。そして、従来のマスクと同様に紐Ｈを装着者の耳に装着する際、図１２に示すように、保護具１を装着者の耳（耳裏）と紐Ｈとの間に介在させることができる。
【００３９】
なお、本実施形態においては、保護具１の平面視全体が蝶を模した形状とされているが、他の形状であってもよく、例えば図１３に示すように、全体が羽を模した形状としてもよく、一方の羽の形状を模した突出部３をスリット２に挿通させてマスクＭの紐Ｈに取り付けるようにしてもよい。また、例えば図１４に示すように、全体が耳を模した形状としてもよく、この場合であっても、突出部３をスリット２に挿通させてマスクＭの紐Ｈに取り付けることができる。
【００４０】
本実施形態によれば、所定位置に形成されたスリット部２と、スリット部２に対応した部位に突出形成され、スリット部２に挿通可能な突出部３とを具備し、マスクＭの紐Ｈを巻き込んだ状態でスリット部２に突出部３を挿通して係止することにより当該紐Ｈに取り付け可能とされたので、面ファスナー等の別個の接着手段等を不要として紐Ｈに取り付けることができ、製造コストを抑制しつつ繰り返し使用してもマスクＭの紐Ｈに確実に固定させることができる。
【００４１】
また、本実施形態に係る突出部３は、先端部３ａがスリット部２の幅寸法ｔ２より大きく形成されたので、マスクＭの紐Ｈに取り付けられた状態におけるスリット部２に対する突出部３の抜け止めを図ることができ、保護具１を装着者の耳に確実に固定させることができる。さらに、本実施形態に係るスリット部２は、弧状に形成されたので、突出部３が弧状に倣って曲がった状態でスリット部２に挿通されることとなり、マスクＭの紐Ｈに取り付けられた状態におけるスリット部２に対する突出部３の抜け止めをより確実に図ることができる。
【００４２】
またさらに、本実施形態に係る保護具１は、全体形状が意匠性を有するため、装着者が耳に装着した際、意匠性を維持して見栄えを向上させることができる。さらに、本実施形態に係る保護具１は、発泡樹脂から成るので、軽量且つ安価な保護具とすることができる。また、保護具１を発泡樹脂の如き軟質樹脂とすることにより、装着者の耳（耳裏）に接触した際、耳裏の形状に倣って良好に当接し得るとともに、硬質樹脂等に比べて、装着感を向上させることができる。
【００４３】
以上、本実施形態について説明したが、本考案はこれに限定されず、例えば全体形状を立体的に形成したもの、一方の側縁部及び他方の側縁部以外の側縁部（図１における上縁部や下縁部）に他の突出部が形成されたもの、スリット部２が直線状に形成されたもの等とすることができる。また、意匠性を向上させるため、全体又は特定の位置に所望の着色を施した保護具としてもよく、消臭や消毒等を目的とした材料を塗布した保護具としてもよい。
【産業上の利用可能性】
【００４４】
所定位置に形成されたスリット部と、スリット部に対応した部位に突出形成され、スリット部に挿通可能な突出部とを具備し、マスクの紐を巻き込んだ状態でスリット部に突出部を挿通して係止することにより当該紐に取り付け可能な構造とされた保護具であれば、外観形状が異なるもの或いは他の機能が付加されたもの等にも適用することができる。
【符号の説明】
【００４５】
１  保護具
２  スリット部
３  突出部
３ａ  先端部
４  装飾用突出部
Ｍ  マスク
Ｈ  紐
【図１】
0003230303.tif 000003
【図２】
0003230303.tif 000004
【図３】
0003230303.tif 000005
【図４】
0003230303.tif 000006
【図５】
0003230303.tif 000007
【図６】
0003230303.tif 000008
【図７】
0003230303.tif 000009
【図８】
0003230303.tif 000010
【図９】
0003230303.tif 000011
【図１０】
0003230303.tif 000012
【図１１】
0003230303.tif 000013
【図１２】
0003230303.tif 000014
【図１３】
0003230303.tif 000015
【図１４】
0003230303.tif 000016